(57)【要約】【課題】本発明は、斜張ケーブルの架設方法に関し、斜張ケーブルの仮設作業を効率的に行えるような方法を提供することが課題である。【解決手段】複数本のストランド４を保護管５に挿通させてその端部を主塔側と主桁側とにおける両定着部間に架設するに際し、前記複数本のストランドの内、一つに整形して束ねた場合の上側の一部のストランド４を前記両定着部間に架設して緊張させ、前記定着部のシース管１における自由端開口部１ａに、前記架設した上側の一部のストランドを当該ストランドの架設位置よりも下げた位置に仮固定する仮設整形治具２を取り付けて仮固定し、その後、残りのストランド４を前記保護管５に挿通させ前記両定着部間に架設して緊張し、前記複数本のストランドを本設のクランプ部材で纏めて束ね、その後、前記仮設整形治具２を前記シース管の自由端開口部１ａから撤去する斜張ケーブルの架設方法である。【選択図】図２
2008007998.tif 000002
【特許請求の範囲】
【請求項１】
複数本のストランドを保護管に挿通させてその端部を主塔側と主桁側とにおける両定着部間に架設するに際し、
前記複数本のストランドの内、一つに整形して束ねた場合の上側の一部のストランドを前記両定着部間に架設して緊張させ、
前記定着部のシース管における自由端開口部に、前記架設した上側の一部のストランドを当該ストランドの架設位置よりも下げた位置に仮固定する仮設整形治具を取り付けて仮固定し、
その後、残りのストランドを前記保護管に挿通させ前記両定着部間に架設して緊張し、
前記複数本のストランドを本設のクランプ部材で纏めて束ね、
その後、前記仮設整形治具を前記シース管の自由端開口部から撤去すること、
を特徴とする斜張ケーブルの架設方法。
【請求項２】
仮設整形治具には、ストランドを当該仮設整形治具の内側に押さえるガイド部材が設けられていること、
を特徴とする請求項１に記載の斜張ケーブルの架設方法。
【請求項３】
ガイド部材は、仮設整形治具に着脱自在であると共に、ストランドを内側に押さえる角度が可変できるものであること、
を特徴とする請求項２に記載の斜張ケーブルの仮設方法。
【発明の詳細な説明】
【技術分野】
【０００１】
本発明は、例えば、斜張橋ケーブル等において、主桁と主塔との定着部間に架設される緊張材を、効率的な作業で束ねる斜張ケーブルの架設方法に関するものである。
【背景技術】
【０００２】
従来、斜張橋や吊り橋等におけるケーブル２１は、図６乃至図７（Ａ）に示すように、主桁３と主塔７との定着部８，９間にガイドワイヤーなどで先導させてポリエチレン（ＰＥ）被覆されたストランド４をアンカーヘッド１８の円錐型貫通孔２０に挿通させクサビ１９で止めて架設し、その後、定着部にセットしたジャッキで前記ストランド４を緊張させ前記クサビ１９で締め込み、これを複数本のストランド４に各々施工し均一な張力にした後に、前記複数本のストランド４全部を纏めてジャッキで緊張させて定着させていたものが知られている。
【０００３】
前記ケーブル２１は、前記アンカーヘッド１８の円錐型貫通孔が所要間隙をおいて同心円状に配設されていることから、間隙をおいて平行に架設されたストランドをそのまま外套保護管でカバーすると、この外套保護管１０ａの直径が大きくなる。すると、風雨の影響でケーブル２１が振動することがあり、定着具の損傷につながる。そこで、このケーブル２１に高減衰ゴム等のダンパーを設けて振動を吸収する対策があり、ケーブル２１を束ねるクランプと主桁に一端が固定された前記ダンパーとを接続する方法がある。
【０００４】
また、前記振動対策として、前記ケーブル２１の振動の発生それ自体を抑えるために、可能な限り当該ケーブル２１の直径を小さくする方法がある。そこで、図７（Ｂ）に示すように、前記複数本のストランド４をクランプ材２２で一本に束ねることによって、外套保護管１０ｂの直径を可能な限り小さくするものである。
【０００５】
それには、従来、前記主塔と主桁との両定着部間に適宜間隔を有して平行状態に架設・緊張された複数本のストランドを、一対の仮クランプにより複数本のストランドを例えば六角形状に整形して束ね、その後、本設クランプで束ねて一本のケーブルにする、ケーブルの架設方法が知られている（特許文献１、特許文献２参照）。
【特許文献１】特開平０８−２７７２５号公報
【特許文献２】特開２０００−２８２４０９号公報
【発明の開示】
【発明が解決しようとする課題】
【０００６】
しかし、従来の斜張ケーブルの架設方法では、保護管にストランドを挿通させて定着部間に平行に緊張して架設したストランドに、一対の仮クランプをボルトでケーブルの半径方向に締め込む工法、若しくは、階段状のクランプで位置規制して束ねる工法なので、保護管の径を小さくすると、パイロットケーブルでストランドを引き上げて保護管に挿通させる作業において、挿通させたストランドの数が増えるに従って、挿通済みのストランドが絡み合うようになって邪魔になり、次第にストランドを挿通させることが困難となる。ストランドを保護管に挿通させる作業能率を良くして、作業工数の低減と工期短縮が要望される。本発明に係る斜張ケーブルの架設方法は、このような課題を解決するために提案されたものである。
【課題を解決するための手段】
【０００７】
本発明に係る斜張ケーブルの架設方法の上記課題を解決して目的を達成するための要旨は、複数本のストランドを保護管に挿通させてその端部を主塔側と主桁側とにおける両定着部間に架設するに際し、前記複数本のストランドの内、一つに整形して束ねた場合の上側の一部のストランドを前記両定着部間に架設して緊張させ、前記定着部のシース管における自由端開口部に、前記架設した上側の一部のストランドを当該ストランドの架設位置よりも下げた位置に仮固定する仮設整形治具を取り付けて仮固定し、その後、残りのストランドを前記保護管に挿通させ前記両定着部間に架設して緊張し、前記複数本のストランドを本設のクランプ部材で纏めて束ね、その後、前記仮設整形治具を前記シース管の 自由端開口部から撤去することである。
【０００８】
前記仮設整形治具には、ストランドを当該仮設整形治具の内側に押さえるガイド部材が設けられていること、；
前記ガイド部材は、仮設整形治具に着脱自在であると共に、ストランドを内側に押さえる角度が可変できるものであること、；
を含むものである。
【発明の効果】
【０００９】
本発明の斜張ケーブルの架設方法によれば、複数本のストランドの内、上側の一部を定着部間に架設した後に、仮設整形治具により整形されて、その後、架設されるストランドは、束ねた場合のケーブル全体の断面においてその上側部分のストランドが密集した状態になる。ストランドを両定着部間に全部架設した後に、本設のクランプ部材で前記ストランドを束ねる際に、前記ケーブル全体の上側部分が整形された密集状態になっているので、２分割体の前記クランプで挟んで束ねる作業が行いやすくなり、作業能率が向上する。
また、前記仮設整形治具には、ガイド部材が設けられていて、ケーブル全体の下部のストランドが両定着部間に架設される際に、当該治具の内側に押さえるように規制する。よって、２分割体の本設のクランプで前記ストランドを束ねるときに、前記ガイド部材でストランドが収束されて、ストランドを束ねる作業が容易となる。
更に、前記ガイド部材が仮設整形治具に着脱自在であると共に、ストランドを内側に押さえる角度が可変できるものであれば、架設するストランドの本数に対応してガイド部材の長さを太さを変えたり、ストランドガイド用の角度を適宜に変更することが可能となり、より便宜な治具になる。
【発明を実施するための最良の形態】
【００１０】
本発明に係る斜張ケーブルの架設方法は、図１に示すように、まず、斜張橋における主桁側と主塔側とにおける定着部のシース管１において、その 自由端開口部１ａのフランジ１ｂにボルト・ナットて固定する仮設整形治具２を形成する。
【００１１】
前記仮設整形治具２は、前記筒体であるシース管１のフランジ１ｂの形状の半割りに対応した形状で所要板厚の金属製基板２ａと、該基板２ａの下位置で両側に溶接等で固着された金属製ネジ基台ブロック２ｂ，２ｄと、同じく上部に溶接等で固着された金属製ネジ基台２ｃと、該ネジ基台２ｂ，２ｄとネジ基台２ｃとに進退自在に螺合されるネジ棒２ｅ，２ｇ，２ｆと、該ネジ棒２ｅ，２ｇ，２ｆによって押圧される半六角型整形用ブロック２ｈと、該整形用ブロック２ｈに八状に固着された一対のガイド部材２ｉとで、構成されている。
【００１２】
前記基板２ａは、ボルト・ナットにより取付孔に挿通させてフランジ１ｂに、着脱自在に固定される。前記ネジ棒２ｅ，２ｇ，２ｆの先端部の当て板２ｊは、前記整形用ブロック２ｈを押圧する盤体である。
【００１３】
前記整形用ブロック２ｈは、ストランドを整列させるものであり、六角形状の半分の形状になっている。この幅は任意であるが、上部のストランド列を押さえるので該ストランドのポリエチレン（ＰＥ）被覆を傷つけないような幅にする。また、前記ガイド部材２ｉは、金属棒であって下に八の字形にして、半六角形状の傾斜した辺に沿って溶接等の手段で固定されている。このガイド部材２ｉの長さは、シース管１にほぼ届く長さにする。
【００１４】
次に、上記仮設整形治具２を使用して施工する、本発明に係るケーブルの架設方法について説明する。図２に示すように、斜張橋において、主桁３側の定着部にシース管１が設けられ、アンカーヘッド３ａが定着ナット３ｂで定着されている。主桁３の上に露出して主塔側に向いた 自由端開口部１ａには、端部にフランジ１ｂが設けられている。
【００１５】
主桁３側から、ＰＥ被覆されたストランド４をＰＥ製の保護管５に挿通させて主塔側に送り込むために、ドラム等から引き出した前記ストランド４を、例えば、プッシングマシン６で押し上げたり、距離的に長い場合には予め保護管５に挿通させ降下させたパイロットケーブルをストランド４の端部に繋着させて該パイロットケーブルによって引き上げたりする。そして、主塔側の定着のシース管の定着部と主桁側のシース管１の定着部とに、ストランドの端部を処理してアンカーヘッドの円錐孔にウエッジで止めて前記最初のストランド４を架設する。このストランド４を架設後に、ジャッキで緊張させるが、前記保護管５の重みで下に垂れ下がる状態になる。
【００１６】
図３に示すように、複数本のストランド４の内、例えば、六角形状で一つに整形して束ねた場合の、上側の一部のストランド４を前記両定着部間に架設して緊張させる。例えば、ストランド４が全部で１９本の場合には、上側の一列が３本、または、２４本の場合には上側の一列が４本、となる。
【００１７】
次に、主桁３側若しくは主塔側における前記定着部のシース管１におけ 自由端開口部１ａに、図４に示すように、前記架設した上側の一部のストランド４，４…を当該ストランド４，４…の架設位置よりも下げた位置に仮固定する、仮設整形治具２をボルト・ナットで取り付けて仮固定する。これには、ネジ基台ブロック２ｂ，２ｃ，２ｄを有する基板２ａをフランジ１ｂに、ボルト・ネットをボルト孔に挿通させ締結して定する。
【００１８】
そして、上側の一部のストランド４に整形用ブロック２ｈを上から載せて載置し、前記ストランド４を架設位置よりも下げた位置になるように、ネジ棒２ｅ，２ｆ，２ｇを締め込んで当て板２ｊで位置決めする。これにより、前記上側の一部のストランド４，４…が、仮設整形治具２の整形用ブロック２ｈにより整列されて押さえられ、密集する。
【００１９】
前記上側一部のストランド４，４…は、両定着部間で緊張されているので保護管５の上部に密集することになり、この保護管５における前記ストランド４下の空間５ａが広く確保される。その後、図５に示すように、残りのストランド４を前記保護管５の前記空間５ａに挿通させ、前記両定着部間に架設して緊張する。
【００２０】
前記保護管５に挿通させる残りのストランド４を、前記上側一部のストランド４，４…が保護管５の上部に密集した状態になった後に挿通させるので、上側から順番に挿通させるようにすれば、後発のストランド４が保護管５の上側に次々に集まって密集し、後のストランド４の挿通作業が容易となる。そして、保護管５の中央部から下のストランド４は、前記仮設整形治具２の成型用ブロック２ｈによる拘束がないので、ガイド部材２ｉ，２ｉの内側において自由に架設位置で点在する。
【００２１】
その後に、前記複数本のストランド４を本設のクランプ部材（図示せず）で纏めて束ねる。この本設のクランプは、例えば、六角形状が上下に２分割された状態のクランプ材である。ストランド４全体の半分の上側は整形用ブロック２ｈで六角形状の半分の形状に密集されているので、上側のクランプ材は、前記ストランド４の上から被せやすく容易に設置できる。そして、下側の半分のクランプ材は、点在するストランド４を下から上に押し上げていくと、ガイド部材２ｉ，２ｉにより当該下側のストランド４が集約されて、前記上側のクランプ材と容易に合体させる事ができる。
【００２２】
前記本設のクランプ材により、複数のストランド４が１本のケーブルに纏められる。その後、前記仮設整形治具２を前記シース管１の 自由端開口部１ａから撤去する。
【００２３】
本発明に係るケーブルの架設方法の他の実施例は、前記仮設整形治具２において、前記ガイド部材２ｉ，２ｉを仮設整形治具２に対して着脱自在にすることであり、ボルトやクランプで取り外し自在にするものである。ガイド部材２ｉの長さや太さの異なるものに交換するときに便宜である。また、このガイド部材２ｉのストランド４を内側に押さえる角度が可変できるものであることとすれば、ストランド４の点在の具合により、任意に八の字の角度を拡開させたりすることができて便宜である。このようにするには、例えば、整形用ブロック２ｈの取付面に、複数種類の角度毎の取付孔を予め用意しておいて、ネジ付きクリップやボルト等でガイド部材２ｉを固定するようにすることで可能となる。
【図面の簡単な説明】
【００２４】
【図１】本発明に係る斜張ケーブルの架設方法における、仮設整形治具２の使用状態を示す斜視図である。
【図２】同本発明の斜張ケーブルの架設方法を説明する説明図である。
【図３】同本発明の斜張ケーブルの架設方法を説明する説明図である。
【図４】同本発明の斜張ケーブルの架設方法で、シース管１に仮設整形治具２を取り付けた状態の説明図である。
【図５】同本発明の斜張ケーブルの架設方法で、ストランド４を全部仮設した状態の説明図である。
【図６】従来例に係る斜材ケーブルの架設方法を示す説明図である。
【図７】同ストランド４をアンカーヘッド１８に定着させる様子を示す断面図（Ａ）と、ストランド４をクランプ材２２で束ねた様子を示す斜視図（Ｂ）とである。
【符号の説明】
【００２５】
１          斜張ケーブルの架設方法、          １ａ       自由端開口部、
１ｂ        フランジ、
２          仮設整形治具、                    ２ａ      基板、
２ｂ，２ｃ，２ｄ      ネジ基台ブロック、
２ｅ，２ｆ，２ｇ      ネジ棒、
２ｈ        整形用ブロック、
２ｉ        ガイド部材、
２ｊ        当て板、
３          主桁、                            ３ａ      アンカーヘッド、
３ｂ        定着ナット、
４          ストランド、
５          保護管、                          ５ａ      空間、
６          プッシングマシン。
【図１】
2008007998.tif 000003
【図２】
2008007998.tif 000004
【図３】
2008007998.tif 000005
【図４】
2008007998.tif 000006
【図５】
2008007998.tif 000007
【図６】
2008007998.tif 000008
【図７】
2008007998.tif 000009